(57)【特許請求の範囲】
【請求項１】
ベースプレートと、
前記ベースプレートから上方に延びる基部、前記基部の上部から後方に延びる把持部、および、前記把持部から離れて前記把持部の下方に設けられ、前記基部の下部から後方に延びる本体下部を含む本体と、
前記基部の側部に設けられ、モータの駆動力により回転する丸鋸刃と、
前記丸鋸刃の上側の部分を包囲する保護カバーと、
前記丸鋸刃による加工対象物の切断により生じる切屑が通過する切屑通路とを備え、
前記切屑通路は、前記保護カバーに連結され、後方に延びる第１通路、および、前記第１通路に対して側方に曲がり、前記基部、前記把持部、および、前記本体下部に囲まれる空間を通過する第２通路を含む
電動丸鋸。
【請求項２】
前記把持部の後端および前記本体下部の後端に連結され、前記モータに電力を供給する電源部をさらに備え、
前記空間は、前記基部、前記把持部、前記本体下部、および、前記電源部に囲まれる
請求項１に記載の電動丸鋸。
【請求項３】
前記切屑通路は、筒状部を有し、
前記筒状部の端部は、側方に開口する
請求項１または２に記載の電動丸鋸。
【請求項４】
前記筒状部の端部に取り付けられる集塵ケースをさらに備える
請求項３に記載の電動丸鋸。
【請求項５】
前記集塵ケースは、前記本体に対して前記モータと同じ側に設けられる
請求項４に記載の電動丸鋸。
【請求項６】
前記切屑通路は、集塵ケースを有する
請求項１または２に記載の電動丸鋸。
【請求項７】
前記第１通路は、前記集塵ケースを構成する第１集塵ケースを有し、
前記第２通路は、前記集塵ケースを構成する第２集塵ケースを有し、
前記第２集塵ケースは、前記第１集塵ケースに対して着脱できる
請求項６に記載の電動丸鋸。
【発明の詳細な説明】
【技術分野】
【０００１】
本発明は、電動丸鋸に関するものである。
【背景技術】
【０００２】
通常、電動丸鋸には、その丸鋸刃の上方を包囲する保護カバーが設けられており、電動丸鋸が作業者側において極力露出しないようになっている（例えば特許文献１参照）。
このような保護カバーを有する電動丸鋸では、保護カバーの一部を開口させて刃先を露出させたり、保護カバーの一部を透明として刃先を視認可能にしたものが知られている。
【０００３】
また、特許文献１の電動丸鋸では、保護カバーの左右方向における側面に切断時に生じる切屑を収容する集塵ケース（特許文献１ではダストケース）が設けられている。
【先行技術文献】
【特許文献】
【０００４】
【特許文献１】特開２００５−１６９５１９号公報
【発明の概要】
【発明が解決しようとする課題】
【０００５】
ところで、上記のような電動丸鋸では、保護カバーの左右側面に集塵ケースを設けている。しかしながら、切屑を収容するため集塵ケースの体格を大きくすると、丸鋸刃を挿通させるための貫通穴を有するベースプレートの面方向から見た際に、ベースプレートよりも左右方向に迫り出すこととなる。これによって、集塵ケースが加工対象物と接触したり、壁と接触したりして作業性の悪化が懸念される。
【０００６】
本発明は、上記課題を解決するためになされたものであって、その目的は、作業性を向上させることができる電動丸鋸を提供することにある。
【課題を解決するための手段】
【０００７】
上記課題を解決するために、電動丸鋸は、モータ駆動により回転する丸鋸刃と、前記丸鋸刃による切断時に生ずる切屑が通過する切屑通路と、前記丸鋸刃の切断方向に延びる把持部とを備えた電動丸鋸であって、前記切屑通路は、前記把持部の延出方向と交差する方向であって前記把持部の下部を通るように構成されることを特徴とする。
【発明の効果】
【０００８】
本発明の電動丸鋸によれば、作業性を向上させることができる。
【図面の簡単な説明】
【０００９】
【図１】実施形態における電動丸鋸の側面図である。
【図２】同上における電動丸鋸の斜視図である。
【図３】同上における電動丸鋸の上面図である。
【図４】同上における電動丸鋸に集塵ケースを取り付けた状態の上面図である。
【図５】別例における電動丸鋸の斜視図である。
【図６】同上における電動丸鋸の側面図である。
【図７】同上における電動丸鋸の側面図である。
【図８】別例における電動丸鋸の上面図である。
【図９】同上における電動丸鋸の斜視図である。
【図１０】同上における電動丸鋸の斜視図である。
【発明を実施するための形態】
【００１０】
以下、電動丸鋸の一実施形態を図面に従って説明する。
図１及び図２に示すように、電動丸鋸１の本体２は、前後方向に延びる湾曲棒状の把持部３を有する、把持部３の後端にはその内部にバッテリー（図示略）を収容する電源部４を有する。把持部３の先端には、一方の手で同把持部３を保持する作業者が他方の手を沿えることができるハンドル５が設けられる。そして、駆動源としてのモータ６及び丸鋸刃７は、本体２内に設けられた減速機（図示略）を介して駆動連結されることにより、両者の間に上記本体２を挟む態様で同本体２の側方にそれぞれ配置されている。
【００１１】
具体的には、本体２の側方には、前記減速機から延びる回転軸９が突出されるとともに、本体２の下部には、板状のベースプレート８が設けられている。
そして、丸鋸刃７は、本体２の側方に突出された回転軸９に連結されることにより、その一部をベースプレート８に形成された開口部（図示略）から下方に突出させた状態で、その回転平面が本体２と略平行になるように配置されている。なお板状のベースプレート８と本体２とをベースプレート８の前方側に設けられる回動軸（図示略）を中心に回動させることで、丸鋸刃７の前記開口部からの突出量が調整可能となっている。
【００１２】
また、丸鋸刃７は、保護カバーとしてのアッパーカバー１１とアンダーカバー１２とにより、その周縁に形成された歯先及び近傍の両側面が包囲されている。そして、その丸鋸刃７の上方を包囲するアッパーカバー１１の後方には、切屑通路を構成する筒状部１３ａが設けられている。
【００１３】
アッパーカバー１１は、回転軸９の軸方向に厚みを有するとともに、その下側となる部分に開口部を有した略扁平箱状に形成されている。なお、本実施形態では、回転軸９近傍のアッパーカバー１１側面には、略半円状の開口部１４が形成されている。そして、同アッパーカバー１１は、前記本体２によって丸鋸刃７と一体的に支持されることにより、その内部に丸鋸刃７を収容する態様で、同丸鋸刃７の上方、詳しくは、その前記ベースプレート８よりも上側に配置される部分を包囲する構成となっている。
【００１４】
一方、アンダーカバー１２は、断面Ｕ字状をなすとともに丸鋸刃７の周縁に沿って円弧状に形成されている。そして、アッパーカバー１１と同様、前記本体２によって丸鋸刃７と一体的に支持されることにより、同丸鋸刃７の下方、詳しくは、そのベースプレート８よりも下側に配置される部分の歯先を包囲する構成となっている。
【００１５】
また、本実施形態では、ベースプレート８下側の前方部分には、丸鋸刃７の歯先が、アンダーカバー１２によって被覆されない部分が形成されるようになっている。そして、その丸鋸刃７の歯先が露出された部分が、同丸鋸刃７により加工対象物を接断する接断部Ｃとなっている。
【００１６】
即ち、本実施形態の電動丸鋸１の作業者は、先ず、その本体２に形成された把持部３（及びハンドル部５）を把握して、丸鋸刃７の歯先が露出された前記接断部Ｃを加工対象物に当接させるように位置決めする。そして、本体２に形成されたスイッチＳを操作し丸鋸刃７を回転させた状態で、同丸鋸刃７を押し進めることにより、その加工対象部を接断することが可能となっている。
【００１７】
ここで、このような構成を有する電動丸鋸１においては、通念上、加工対象物は丸鋸刃７よりも下方に配置される。そして、その丸鋸刃７を基準として加工対象物を当接させる方向が前方である。
【００１８】
なお、本実施形態のアンダーカバー１２は、前記回転軸９を中心として回動可能、且つその回動により同アンダーカバー１２の後端が前記アッパーカバー１１内に没入可能に設けられている。また、アンダーカバー１２は、図示しない弾性部材により、その先端１２ａが前方側に移動する方向に回動するように付勢されており、これにより、接断作業時には、その先端１２ａが、前記接断部に配置された加工対象物に当接する構成となっている。そして、当該加工対象物に押圧されて同アンダーカバー１２が回動する際、その上記アッパーカバー１１内に没入する量に基づいて、その接断深さを把握することが可能となっている。
【００１９】
また、前記アッパーカバー１１の後方側の周縁部には、丸鋸刃７による接断時に生ずる切屑を該アッパーカバー１１の外部に排出するための排出部１１ａが形成されている。
詳述すると、本実施形態のアッパーカバー１１は、その内部に収容された丸鋸刃７の外周に沿うように、その前方側の周縁部が湾曲して形成されている。このため、本実施形態では、丸鋸刃７は、モータ駆動により、図１中、回転軸９を中心として反時計回り方向（図１中、アッパーカバー１１の側面にデザインされた「矢印」の示す方向）に回転する。これにより、アッパーカバー１１内には、その回転方向に沿った気流が発生する。そして、接断時に生ずる切屑は、この気流によりアッパーカバー１１内に吸引され、アッパーカバー１１の外部である筒状部１３ａに排出される。
【００２０】
図２および図３に示すように筒状部１３ａは、その両端に開口部を有し、一端側の開口部の開口方向と他端側の開口部の開口方向とが略直交するようにＬ字筒状をなすように形成される。そして、筒状部１３ａの一端側の開口部はアッパーカバー１１の排出部１１ａと接続される。このとき、筒状部１３ａは、把持部３の下方の開口３ａを通って他端側の開口部１３ｂが前記把持部３を基準として丸鋸刃７（アッパーカバー１１）とは反対側に面するようになっている。
【００２１】
そして、図４に示すように筒状部１３ａの他端側の開口部１３ｂは、箱状の集塵ケース１３ｃが取り付け可能となっている。
次に、本実施形態の作用を説明する。
【００２２】
電動丸鋸１は、電源部４からモータ６に電力供給が行われることでモータ６が回転駆動し、その回転駆動力によって丸鋸刃７が回転される。そして、ベースプレート８を加工対称物に乗せた状態で電動丸鋸１を前方にスライドさせることで、加工対象物が切断される。
【００２３】
このとき、本実施形態の電動丸鋸１は、保護カバーとしてのアッパーカバー１１に切屑通路としての筒状部１３ａと集塵ケース１３ｃとを備える。筒状部１３ａは、把持部３の下方の開口３ａを通って丸鋸刃７（アッパーカバー１１）とは反対側に面する。このため、アッパーカバー１１側でベースプレート８よりも側方（左右方向）に迫り出すことが抑えられる。また、集塵ケース１３ｃは、筒状部１３ａの開口部１３ｂに取り付けられるため、体格の大きな集塵ケース１３ｃを取り付けてもアッパーカバー１１側でベースプレート８よりも側方（左右方向）に迫り出すことが抑えられる。なお、集塵ケース１３ｃは、モータ６（モータケース）よりも側方に迫り出さない大きさとされている。
【００２４】
次に、本実施形態の効果を記載する。
（１）切屑通路を構成する筒状部１３ａは、把持部３の延出方向と交差する方向であって把持部３の下部を通るように構成される。これによって、把持部３を基準としてアッパーカバー１１とは反対側に筒状部１３ａの端部を配置することができる。このため、筒状部１３ａに集塵ケース１３ｃを取り付けた場合であっても、アッパーカバー１１側においてベースプレート８よりも側方に筒状部１３ａや集塵ケース１３ｃが迫り出すことがないため、作業性向上に寄与できる。
【００２５】
（２）切屑通路を構成する筒状部１３ａは、丸鋸刃７の上側を包囲するアッパーカバー１１の排出部１１ａから延出する態様で構成されるため、切屑の飛散が抑えられる。
（３）アッパーカバー１１から延出する中空状の筒状部１３ａと、筒状部１３ａの端部に取り付けられる集塵ケース１３ｃとを有する。このため、切屑の飛散を更に抑えつつ、作業性の向上に寄与できる。
【００２６】
（４）比較的体格の大きな集塵ケース１３ｃを把持部３を基準として丸鋸刃７とは反対側に設けられるため、アッパーカバー１１側において壁や加工対象物との作業に阻害となる接触を抑えることができる。
【００２７】
なお、上記実施形態は、以下のように変更してもよい。
・上記実施形態では、筒状部１３ａが把持部３の下部（下方）を通るような構成としたが、これに限らない。
【００２８】
図５〜図７に示すように筒状部１５ａは直線筒状とし、集塵ケース１５ｂが把持部３の下方を通るような構成としてもよい。
・上記実施形態では、筒状部１３ａ及び集塵ケース１３ｃとで切屑通路を構成したが、これに限らない。例えば、筒状部１３ａのみで切屑通路を構成してもよい。
【００２９】
また、図８〜図１０に示すように、集塵ケース１６ａ，１６ｂのみで切屑通路を構成してもよい。
・上記実施形態並びに上記各変形例は適宜組み合わせてもよい。
【００３０】
次に、上記実施形態及び別例から把握できる技術的思想を以下に追記する。
（付記１）
モータ駆動により回転する丸鋸刃と、前記丸鋸刃による切断時に生ずる切屑が通過する切屑通路と、前記丸鋸刃の切断方向に延びる把持部とを備えた電動丸鋸であって、
前記切屑通路は、前記把持部の延出方向と交差する方向であって前記把持部の下部を通るように構成されることを特徴とする電動丸鋸。
【００３１】
（付記２）
付記１に記載の電動丸鋸において、
前記切屑通路は、前記丸鋸刃の上側を包囲する保護カバーから延出する態様で構成されることを特徴とする電動丸鋸。
【００３２】
（付記３）
付記２に記載の電動丸鋸において、
前記切屑通路は、前記保護カバーから延出する中空状の筒状部を有し、
前記筒状部の端部が前記把持部の延出方向と交差する方向に開口し、前記筒状部が前記把持部の下部を通るように構成されることを特徴とする電動丸鋸。
【００３３】
（付記４）
付記２に記載の電動丸鋸において、
前記切屑通路は、前記保護カバーから延出する中空状の筒状部と、該筒状部の端部に取り付けられる集塵ケースとを有することを特徴とする電動丸鋸。
【００３４】
（付記５）
付記４に記載の電動丸鋸において、
前記集塵ケースは、前記把持部を基準として前記丸鋸刃とは反対側に設けられることを特徴とする電動丸鋸。
【００３５】
（付記６）
付記２に記載の電動丸鋸において、
前記切屑通路は、前記保護カバーから延出するとともに前記切屑を内部に収容する集塵ケースであることを特徴とする電動丸鋸。
【００３６】
（付記７）
付記６に記載の電動丸鋸において、
前記集塵ケースは、前記保護カバーに取り付けられる第１集塵ケースと、該第１集塵ケースに対して着脱自在な第２集塵ケースとを有することを特徴とする電動丸鋸。
【符号の説明】
【００３７】
１…電動丸鋸、３…把持部、６…モータ、７…丸鋸刃、１１…保護カバーとしてのアッパーカバー、１３ａ…切屑通路を構成する筒状部、１３ｂ…開口部、１３ｃ…切屑通路を構成する集塵ケース、１５ａ…切屑通路を構成する筒状部、１５ｂ…切屑通路を構成する集塵ケース、１６ａ…切屑通路を構成する集塵ケース、１６ｂ…切屑通路を構成する集塵ケース。
【図１】
0006380931.tif 000002
【図２】
0006380931.tif 000003
【図３】
0006380931.tif 000004
【図４】
0006380931.tif 000005
【図５】
0006380931.tif 000006
【図６】
0006380931.tif 000007
【図７】
0006380931.tif 000008
【図８】
0006380931.tif 000009
【図９】
0006380931.tif 000010
【図１０】
0006380931.tif 000011